(57)【要約】【課題】洗濯液をシャワー水として上方より吐出し、水の飛び跳ねを防止すること。【解決手段】洗濯物を収容し中央底部に攪拌翼４を回転自在に配した内槽２と、内槽２を内包し洗濯液を貯水する外槽１と、外槽１の上部に設けた外槽カバー６と、攪拌翼４あるいは内槽２を回転駆動するモータ９と、外槽１に設けられ内槽２を回転させて洗濯液を外槽カバー６へ揚水する小部屋１４と、外槽カバー６に設けられ揚水された洗濯液を内槽へ吐出する吐出部１７と、小部屋１４と吐出部１７とを結合する流路１６とを備え、流路１６に断面積が小さい絞り部１６ｂを設けたことにより、洗濯物にシャワー水を吐出して、洗いむらを低減し洗浄力を高めるだけでなく、洗濯物にシャワー水が当たったときに、水が飛び跳ねることを防止することができる。【選択図】図３
2014188152.tif 000002
【特許請求の範囲】
【請求項１】
洗濯物を収容し中央底部に攪拌翼を回転自在に配した内槽と、前記内槽を内包し洗濯液を貯水する外槽と、前記外槽の上部に設けた外槽カバーと、前記攪拌翼あるいは前記内槽を回転駆動するモータと、前記外槽に設けられ前記内槽を回転させて前記洗濯液を前記外槽カバーへ揚水する小部屋と、前記外槽カバーに設けられ揚水された前記洗濯液を前記内槽へ吐出する吐出部と、前記小部屋と前記吐出部とを結合する流路とを備え、前記流路に断面積が小さい絞り部を設けたことを特徴とする洗濯機。
【請求項２】
前記流路には、前記絞り部と前記吐出部との間に、前記流路の外部から空気を取り込む空気取り入れ部を設けたことを特徴とする請求項１に記載の洗濯機。
【発明の詳細な説明】
【技術分野】
【０００１】
本発明は、洗い、すすぎ、脱水行程を自動制御して行なう洗濯機に関するものである。
【背景技術】
【０００２】
図４は、従来の洗濯機の縦断面図である。図４において、水槽４３に回転自在に内包された内槽４１の中央内底部に衣類攪拌拌用の攪拌翼４２を回転自在に配し、水槽４３の外底部には、モータ４８や機構駆動部５０が配置された基板４４が固着されている。基板４４の外縁は、外枠４５の上部角隅より防振装置４６を介し吊り下げられている。回転軸４７は２軸構造となっており、モータ４８の回転力をベルト４９と機構駆動部５０を介して、攪拌翼４２および内槽４１に伝える。給水弁５３は内槽４１内に給水し、排水弁５４は内槽４１内の洗濯液を排水するものである。
【０００３】
制御装置５２は、モータ４８、給水弁５３、排水弁５４などを制御して、洗い、すすぎ、脱水の一連の行程を逐次制御するものである。
【０００４】
以上の構成にて、内槽４１に洗濯物と所定量の洗剤を投入した後、洗いを開始すると、制御装置５２により、給水弁５３を制御して内槽４１内に所定量の水を給水し、その後、モータ４８を制御して攪拌翼４２を駆動する。そして、攪拌翼４２の回転によって内槽４１内の洗濯物と水とを撹拌し、この撹拌によって洗剤を徐々に溶解して洗濯液となり、洗濯物の汚れに作用することとなる。
【０００５】
また、内槽４１の上方から洗濯水を洗濯物に散水して、洗浄力を高める洗濯機が提案されている（例えば、特許文献１参照）。
【先行技術文献】
【特許文献】
【０００６】
【特許文献１】特開２００４−３１３２３３号公報
【発明の概要】
【発明が解決しようとする課題】
【０００７】
しかしながら、前記従来の構成では、攪拌翼の回転によって内槽内の洗濯物を攪拌するといった機械力のみに頼って洗浄力を確保しようとしているため、内槽底部にある洗濯物には機械力が伝わり易く、高い洗浄力が得られるが、内槽の上部にある洗濯物には機械力が伝わり難いため、高い洗浄力が得られず、洗いむらが大きくなるという課題があった。
【０００８】
また、上方から洗濯水を洗濯物に散水して洗浄力を高める場合には、洗濯物に散水される際に水が飛び跳ね、内槽の外部へ飛び出し、漏水の原因になることがあった。
【０００９】
本発明は、上記従来の課題を解決するもので、洗濯液を上方より洗濯物にシャワー水として吐出する機能を設け、洗いむらを低減して洗浄力を高めるとともに、洗濯物にシャワー水が当たったときに、水が飛び跳ねることを防止する洗濯機を提供することを目的としている。
【課題を解決するための手段】
【００１０】
前記従来の課題を解決するために、本発明の洗濯機は、洗濯物を収容し中央底部に攪拌翼を回転自在に配した内槽と、前記内槽を内包し洗濯液を貯水する外槽と、前記外槽の上部に設けた外槽カバーと、前記攪拌翼あるいは前記内槽を回転駆動するモータと、前記外
槽に設けられ前記内槽を回転させて前記洗濯液を前記外槽カバーへ揚水する小部屋と、前記外槽カバーに設けられ揚水された前記洗濯液を前記内槽へ吐出する吐出部と、前記小部屋と前記吐出部とを結合する流路とを備え、前記流路に断面積が小さい絞り部を設けたものである。
【００１１】
これにより、流路内で洗濯水が均一に拡散し、内槽の上方より、シャワー水が偏ることなく均一に洗濯物に散水でき、洗濯水の飛び跳ねを防止し、洗いむらを低減して洗浄力を高めることができるようになる。
【００１２】
また、本発明の洗濯機における流路には、前記絞り部と前記吐出部との間に、前記流路の外部から空気を取り込む空気取り入れ部を設けたものである。
【００１３】
これにより、空気取り入れ部から吸込んだ空気によって、シャワー水に気泡が含まれるようになり、この気泡が洗濯物に当たった衝撃を吸収するので、水の飛び跳ねを防止することができる。
【発明の効果】
【００１４】
本発明の洗濯機は、洗濯物にシャワー水を吐出して、洗いむらを低減し洗浄力を高めるだけでなく、洗濯物にシャワー水が当たったときに、水が飛び跳ねることを防止することができる。
【図面の簡単な説明】
【００１５】
【図１】本発明の実施の形態における洗濯機の縦断面図
【図２】同洗濯機の外槽の一部を切欠した斜視図
【図３】同洗濯機の流路の断面図
【図４】従来の洗濯機の縦断面図
【発明を実施するための形態】
【００１６】
第１の発明は、洗濯物を収容し中央底部に攪拌翼を回転自在に配した内槽と、前記内槽を内包し洗濯液を貯水する外槽と、前記外槽の上部に設けた外槽カバーと、前記攪拌翼あるいは前記内槽を回転駆動するモータと、前記外槽に設けられ前記内槽を回転させて前記洗濯液を前記外槽カバーへ揚水する小部屋と、前記外槽カバーに設けられ揚水された前記洗濯液を前記内槽へ吐出する吐出部と、前記小部屋と前記吐出部とを結合する流路とを備え、前記流路に断面積が小さい絞り部を設けたことにより、流路内で洗濯水が均一に拡散し、内槽の上方より、シャワー水が偏ることなく均一に洗濯物に散水でき、洗濯水の飛び跳ねを防止し、洗いむらを低減して洗浄力を高めることができるようになる。
【００１７】
第２の発明は、特に、第１の発明の流路には、前記絞り部と前記吐出部との間に、前記流路の外部から空気を取り込む空気取り入れ部を設けたことにより、空気取り入れ部から吸込んだ空気によって、シャワー水に気泡が含まれるようになり、この気泡が洗濯物に当たった衝撃を吸収するので、水の飛び跳ねを防止することができる。
【００１８】
以下、発明の実施の形態について、図面を参照しながら説明する。また、この実施の形態によって本発明が限定されるものではない。
【００１９】
（実施の形態１）
図１は、本発明の実施の形態における洗濯機の縦断面図、図２は、同洗濯機の外槽の一部を切欠した斜視図、図３は、同洗濯機の流路断面図である。
【００２０】
図１、図２及び図３において、外槽１は、内側に回転自在に配設した内槽２を設け、内
槽２の中央底部には衣類攪拌用の攪拌翼４を回転自在に配設している。外槽１の上部開口部にはパッキン５を介して外槽カバー６を設け、外槽１は、吊り棒７により外枠８に垂下防振支持されている。
【００２１】
モータ９は、減速機構３を介して、攪拌翼４あるいは内槽２を回転駆動する。給水弁１０は内槽２内に水を給水するものであり、水位検知手段１１は外槽１内の水位を検知するもので、排水弁１２は外槽１内の洗濯液を排水するものである。
【００２２】
制御装置１３は、モータ９、給水弁１０、排水弁１２などを制御して、洗い、すすぎ、脱水の各行程を逐次制御する。
【００２３】
外槽１の内周面には、外槽１の内底部１ａよりも上方に位置した小部屋１４を形成しており、小部屋１４の上部の開口部を、パッキン５を介して外槽カバー６に形成した蓋部１５で密閉し、外槽カバー６に小部屋１４と連通して形成した流路１６の先端には、内槽２内部を臨むように吐出部１７を設けている。そして、流路１６の途中には、断面積が小さい絞り部１６ｂを形成するとともに、絞り部１６ｂの下流側には、流路１６の外部の大気に開放した空気取り入れ部１６ａを形成している。
【００２４】
また、小部屋１４の外周部を形成する側板１８は、内槽２の回転方向である時計回り方向に向かって外槽１の外周面より外側に広がるように形成している。そして、小部屋１４の時計回り方向側の一部と外槽１の内部を仕切る仕切り板１９を備えている。また、小部屋１４の底面を形成する案内板２０は、時計回り方向に向かって上方に湾曲するように形成している。
【００２５】
以上のように構成された洗濯機において、以下その動作、作用を説明する。
【００２６】
内槽２に洗濯物と洗剤を投入して洗い行程の運転を開始すると、制御装置１３によって給水弁１０を動作し、内槽２内に給水する。水位検知手段１１が通常の洗濯液位よりも低い所定水位を検知すると、給水を停止する。その後、洗剤を溶解させる洗剤溶解行程に移り、モータ９を駆動し、内槽２を時計回り方向に回転させる。この時の回転数は、この後の吐出行程よりも低く設定しているため、揚水は行われず、洗剤を溶解する前に洗濯液が吐出部１７から吐出することなく、洗剤を溶解する。
【００２７】
次に、溶解した洗濯液を吐出させる吐出行程に移り、洗剤溶解行程よりも高いが、通常の脱水回転数よりは低い回転数で内槽２を回転させることで、洗濯液は外槽１の内側面を回転しながら勢いよく小部屋１４に入ってくる。小部屋１４に入ってきた洗濯液は、案内板２０に沿ってその速度成分を水平方向から垂直方向に変換することで上方に揚水され、連通する流路１６へと入っていく。
【００２８】
流路１６内に入ってきた洗濯液は、断面積が小さい絞り部１６ｂを通過する際に、流路１６内に均一に拡散する。これにより、吐出部１７から洗濯物へ偏り無く均一に散水される。
【００２９】
また、流路１６内に入ってきた洗濯液は、断面積が小さい絞り部１６ｂで速度を増した後、空気取り入れ部１６ａ付近で圧力が下がり、大気開放された空気取り入れ部１６ａより空気を取り込み、吐出部１７から内槽２内部に向かって、気泡を混入した洗濯液をシャワー水として吐出する。この時、シャワー水内に気泡が混入していることで、気泡がクッションとなり、内槽２内の洗濯物に衝突した際の衝撃を吸収し、シャワー水の飛び散りを抑えることができる。これにより、溶解した洗濯液が洗濯物にスムーズに浸透していき、その後の水位を上げての攪拌翼４による攪拌行程を行なうことで、短時間で洗浄性能を向
上することができる。
【産業上の利用可能性】
【００３０】
以上のように、本発明の洗濯機は、洗濯物の上方よりシャワー水を飛び跳ねることなく散水できるので、業務用の洗濯機等、他の洗濯用機器の用途に適用できる。
【符号の説明】
【００３１】
１  外槽
２  内槽
４  攪拌翼
６  外槽カバー
９  モータ
１４  小部屋
１６  流路
１６ａ  空気取り入れ部
１６ｂ  絞り部
１７  吐出部
【図１】
2014188152.tif 000003
【図２】
2014188152.tif 000004
【図３】
2014188152.tif 000005
【図４】
2014188152.tif 000006